(57)【要約】【課題】強度に優れ、収容した物品の表面を効果的に保護することができ、且つ、材料コストを節約できる紙製パレットの提供。【解決手段】本考案の紙製パレットは、主にデッキボード及びその底面に設置した複数のブロックから成り、包装と運輸用に貨物を収容するために用いられ、そのうち、前記デッキボードは一枚の平らな矩形の硬質紙板とし、且つ、少なくとも一対の相対する辺上に上方向折辺を設け、前記ブロックは硬質紙板を折って固定し形成した空心の長方体とし、前記硬質紙板上にブロックに必要とする幅と高さに基づき平行に少なくとも三本のV字形折り溝を設け、且つ、前記ブロックに形成された空間内部に少なくとも１つの空間の形状に対応した支持板を設置し、最後に上述の複数のブロックを前記デッキボード底面の適切な位置にそれぞれ固定し、フォークリフトのフォークが出入する空間を形成する。【選択図】図２
0003126593.tif 000002
【実用新案登録請求の範囲】
【請求項１】
デッキボード及びその底面に設置された複数のブロックから成り、包装と運輸用に貨物を収容するために用いられ、そのうち、前記デッキボードは、一枚の平らな硬質紙板を適切な長さと幅の矩形に形成したデッキボードであり、且つ、前記デッキボードの少なくとも一対の相対する辺上に上方向折辺を設け、前記ブロックは、平面硬質紙板上に前記ブロックに必要な幅と高さに基づき平行に少なくとも三本のV字形折り溝を形成し、これを折って固定し形成した空心の長方体とし、且つ、前記ブロックに形成された空間内部に少なくとも１つの空間の形状に対応した支持板を設置し、最後に前記ブロックを前記デッキボードの底面の適切な位置にそれぞれ固定し、フォークリフトのフォークが出入する空間を形成した、紙製パレット。        
【考案の詳細な説明】
【技術分野】
【０００１】
本考案は紙製パレットの構造の改良に関し、詳細には、紙製パレットのデッキボード及びブロックの構造において、デッキボードの相対する二辺上に上方向折辺を設け、且つ、ブロックが硬質紙板を折って成る空心の長方体であり、全体の構造強度に優れているだけでなく、且つ、効果的に物品を保護するという目的を達することができる、紙製パレットに関する。
【背景技術】
【０００２】
従来の紙製パレットの構造は、図１に示すように、少なくともデッキボードａの底面に複数本のダンボールから成る長方体のブロックｂを設けて成り、そのうち、ブロックｂは数層の平板ダンボールb１を一枚ずつ重ねて貼り合わせて成る実心の長方体であり、この長方体のブロックｂがデッキボードａ底面に貼り付けられる。そのうち、その積載強度を増加するため、ブロックｂの底面にさらに一枚のデッキボードa’を設けたり、或いは複数本の細長紙板をブロックの方向に垂直にブロック底面に貼り付けたものもある（本考案の重点ではないため、図面は省略する）。上述のような従来品の構造には次のような欠点がある。ブロックｂが実心の長方体であるため、使用する紙の量が当然大きくなり、且つ、大量の糊で一枚ずつ張り合わせるため製作時間が増加し、このため、従来の構造は環境保護性に劣り、製造コストも高く、経済性に優れない。従来の紙製パレットはフォークリフトを利用して移動する際、フォークリフト前端のフォークが２つのブロック間の間隙に差込まれるが、従来の紙製パレットのブロックはデッキボード底面に平行に設置されているため、このような紙製パレットはフォークリフトのフォークを単一の方向から進入させることができるのみであり、自然に使用上不便さが生じ、且つ、上述の紙製パレットはさらに強度不足という欠点もある。このほか、パレットを使用するとき、プラスチックの包装テープや金属の包装テープを利用して物品をパレット上の位置に縛り付けて固定するが、従来の紙製パレットの辺縁部にはいかなる補強構造も設けられていないため、包装テープで縛るとき、直接紙製パレットを破損して物品表面を傷つけてしまうことがあるため、改良が必要である。
【０００３】
このため、本考案の考案者は上述のような従来の紙製パレットの構造における欠点に鑑みて、関連産業における長年の経験に基づき研究を重ね、使用に便利で強度を増した紙製パレットの構造の改良を設計するに至り、この紙製パレットはデッキボードの適切な位置に上方向折辺を設け、構造を補強し、効果的にその構造強度を増加すると共に、デッキボード製作時の材料厚さを減少し、コストを抑えるという目的を達することができる。
【考案の開示】
【考案が解決しようとする課題】
【０００４】
本考案の主な目的は、強度に優れ、収容した物品の表面を効果的に保護することができ、且つ、材料コストを節約できる紙製パレットを提供することにある。          
【課題を解決するための手段】
【０００５】
上述の目的を達するため、本考案の紙製パレットは、主にデッキボード及びその底面に設置した複数のブロックから成り、包装と運輸用に貨物を収容するために用いられ、そのうち、前記デッキボードは一枚の平らな矩形の硬質紙板とし、且つ、少なくとも一対の相対する辺上に上方向折辺を設け、前記ブロックは硬質紙板を折って固定し形成した空心の長方体とし、前記硬質紙板上にブロックに必要とする幅と高さに基づき平行に少なくとも三本のV字形折り溝を設け、且つ、前記ブロックに形成された空間内部に少なくとも１つの空間の形状に対応した支持板を設置し、最後に上述の複数のブロックを前記デッキボード底面の適切な位置にそれぞれ固定し、フォークリフトのフォークが出入する空間を形成する。        
【考案の効果】
【０００６】
上述の構造に基づき、その使用時には、フォークリフトのフォークを紙製パレットの任意の側から穿入でき、必要な空間の大小に基づき任意に方向転換が可能であり、従来の紙製パレットにおける任意に方向転換ができないという欠点を回避し、且つ、フォークを穿入した後、デッキボードの相対する辺に設けた上方向折辺が縦方向の補強構造を成し、デッキボードの強度を向上することができるため、厚い板材を使用する必要がなく、材料コスト節約という目的を達することができる。このほか、デッキボードの相対する辺縁上に上方向折辺が設けられているため、包裝テープで物品を縛るとき、物品の辺縁部が覆われるため、物品表面に優れた保護効果を発揮する。
【考案を実施するための最良の形態】
【０００７】
以下、本考案の紙製パレットの構造的特徴及びその効果について、更なる認識と理解を得るため、最良の実施例と図面に基づき詳細に説明する。
【０００８】
まず、図２、図３、図４に示すように、本考案の紙製パレットは主に、デッキボード１０及びその底面に設置された複数のブロック２０から成り、包装と運輸用に貨物を収容するために用いられる。
【０００９】
そのうち、前記デッキボード１０は、一枚の平らな硬質紙板を適切な長さと幅の矩形に形成したデッキボード１０であり、且つ、前記デッキボード１０の少なくとも一対の相対する辺上に上方向折辺１１を設ける。このほか、前記デッキボード１０の２対の相対する辺上に共に上方向折辺１１を設けてもよく、これによりデッキボード１０全体の強度をより向上することができる。
【００１０】
前記ブロック２０は、平面硬質紙板上に前記ブロック２０に必要な幅と高さに基づき平行に少なくとも三本のV字形折り溝２１を形成し、これを折って固定し形成した空心の長方体とし、且つ、前記ブロック２０に形成された空間内部に少なくとも１つの空間の形状に対応した支持板２２を設置し、最後に前記ブロック２０を前記デッキボード１０の底面の四つの角部、各辺の中間点の位置及びデッキボード１０の中央位置にそれぞれ固定し、フォークリフトのフォークを任意の側から出入させる空間を形成する。
【００１１】
上述のように、本考案の紙製パレットは、使用時の強度に優れ、且つ、収容する物品の表面を効果的に保護すると共に、材料コストを抑えることができ、創作の実用性と進歩性を備えているため、特許法の規定に基づき、ここに実用新案登録を出願するものである。
【図面の簡単な説明】
【００１２】
【図１】従来の紙製パレットの立体斜視図である。
【図２】本考案の立体分解図である。
【図３】本考案の立体斜視図である。
【図４】本考案の別の実施例の立体斜視図である。
【符号の説明】
【００１３】
１０        デッキボード
１１        上方向折辺          
２０        ブロック
２１        V字形折り溝
２２        支持板    
【図１】
0003126593.tif 000003
【図２】
0003126593.tif 000004
【図３】
0003126593.tif 000005
【図４】
0003126593.tif 000006